(57)【要約】【課題】間接気化冷却装置の排出手段から排出される液体の冷熱が捨てられて無駄になるのを抑える冷房装置を提供する。【解決手段】湿流路１２に液体供給手段１３と排出手段１４とを有し、乾流路１１を流れる気体を加湿なしに冷却する間接気化冷却装置１と、デシカント調湿装置２と、熱交換器３とを備える。室外から乾流路１１と吸湿流路２１と熱交換器３とを経由して室内に至る第一流路４１を備える。室内から湿流路１２と熱交換器３とを経由して室外に至る第二流路４２を備える。室外から放湿流路２２を経由して室外に至る第三流路４３を備える。排出手段１４に、排出流路１５介して、排出手段１４からの冷媒により冷輻射を行う冷房端末７を接続する。【選択図】図１
2015190634.tif 000002
【特許請求の範囲】
【請求項１】
互いに熱交換が可能な乾流路および湿流路と、前記湿流路に設けられる液体供給手段および排出手段と、を有し、前記湿流路を流れる気体により前記湿流路に供給された液体が蒸発する際に気化熱として周囲から熱を奪うことにより、前記乾流路を流れる気体を加湿することなく冷却する間接気化冷却装置と、
吸湿流路と放湿流路と、前記吸湿流路と前記放湿流路との間に跨って回転するデシカントロータと、前記放湿流路に設けられる再生手段と、を有し、前記吸湿流路を流れる気体に対し吸湿を行うとともに、前記放湿流路において前記デシカントロータの再生を行うデシカント調湿装置と、
互いに熱交換が可能な第一熱交換流路と第二熱交換流路とを有する熱交換器と、
を備えた冷房装置であって、
前記乾流路の入口にダンパーを有する流路の下流端を接続して前記流路の上流端を室外に連通させ、前記乾流路の出口と前記吸湿流路の入口との間に流路を接続し、前記吸湿流路の出口と前記第一熱交換流路の入口との間に流路を接続し、前記第一熱交換流路の出口に上流端を接続し下流端に吐出口を有する吐出流路を備えて、室外から前記乾流路と前記吸湿流路と前記第一熱交換流路と前記吐出流路とを経由して前記吐出口に至る第一流路を構成し、
前記湿流路の入口を室内に連通させ、前記湿流路の出口と前記第二熱交換流路の入口との間に流路を接続し、前記第二熱交換流路の出口を室外に連通させて、室内から前記湿流路と前記第二熱交換流路とを経由して室外に至る第二流路を構成し、
前記放湿流路の入口と前記ダンパーとの間に分岐流路を接続し、前記放湿流路の出口を室外に連通させて、前記ダンパーから前記放湿流路を経由して室外に至る第三流路を構成し、
前記排出手段に、排出流路を介して、前記排出手段より排出される液体を冷媒として該冷媒により冷輻射を行う冷房端末を接続することを特徴とする冷房装置。
【請求項２】
前記第一流路を通流して前記吐出口から気体を前記冷房端末の表面に向けて吐出する結露解消手段を備えることを特徴とする請求項１記載の冷房装置。
【請求項３】
前記ダンパーを第一のダンパーとし、
前記乾流路の出口と前記吸湿流路の入口との間に接続される前記流路に第二のダンパーを設け、
前記第二のダンパーに上流端を接続し前記吐出流路に下流端を合流させてあるバイパス流路を備えることを特徴とする請求項１または２記載の冷房装置。
【発明の詳細な説明】
【技術分野】
【０００１】
本発明は、間接気化冷却装置とデシカント調湿装置とを備えた冷房装置に関するものである。
【背景技術】
【０００２】
互いに熱交換が可能な乾流路と湿流路の二つの気体の流路と、湿流路に設けられる液体供給手段と、を有し、湿流路を流れる気体により該湿流路に供給された液体が蒸発する際に気化熱として周囲から熱を奪うことにより、乾流路を流れる気体を加湿することなく冷却する間接気化冷却装置が知られている（例えば特許文献１参照）。
【０００３】
この間接気化冷却装置にあっては、乾流路と湿流路を流れる気体の流量と、湿流路に供給する液体の流量を制御することで、乾流路を通流して得られる冷却空気の温度を間接的に調節していたが、誤差が大きいものであった。
【０００４】
乾流路を通流して得られる冷却空気の温度を調節するにあたり、別の方法が考えられる。すなわち、間接気化冷却装置にあっては、湿流路を流れる気体の湿度が低い程、この湿流路での蒸発（気化）が促進されて、湿流路を流れる気体が奪われる熱が大きくなり、この結果、乾流路を流れる気体の冷却が促進される。このため、湿流路に流入する気体の湿度を制御することで、乾流路を通流して得られる冷却空気の温度を調節することが可能である。
【０００５】
そこで、吸湿流路と放湿流路の二つの気体の流路と、この流路間に跨って回転するデシカントロータと、を備え、吸湿流路を流れる気体に対し吸湿（除湿）を行うとともに、放湿流路においてデシカントロータの再生を行うデシカント調湿装置（例えば特許文献２参照）を、間接気化冷却装置に組み合わせた冷房装置（例えば特許文献３参照）が考えられている。
【先行技術文献】
【特許文献】
【０００６】
【特許文献１】特開２００８−１０１８９０号公報
【特許文献２】特開２００８−１６４２０３号公報
【特許文献３】特開２０１３−２１０１２８号公報
【発明の概要】
【発明が解決しようとする課題】
【０００７】
ところで、上記冷房装置の間接気化冷却装置は、湿流路を流れる気体中の蒸気が結露して生成された液体や、液体供給手段により供給されて気化されなかった液体を排出する排出手段を備えている。すなわち、液体供給手段により供給された液体が全て気体となって結露を生じなければ、排出手段は不要であるが、現実には排出手段から液体が排出されている。しかも、冷却された液体が排出され、その冷熱が無駄になっていた。
【０００８】
本発明は上記従来の問題点に鑑みて発明したものであって、その目的とするところは、間接気化冷却装置とデシカント調湿装置とを備え、間接気化冷却装置の排出手段から排出される液体の冷熱が無駄になるのを抑える冷房装置を提供することを課題とするものである。
【課題を解決するための手段】
【０００９】
上記課題を解決するために、請求項１に係る発明は、
互いに熱交換が可能な乾流路１１および湿流路１２と、湿流路１２に設けられる液体供給手段１３および排出手段１４と、を有し、湿流路１２を流れる気体により湿流路１２に供給された液体が蒸発する際に気化熱として周囲から熱を奪うことにより、乾流路１１を流れる気体を加湿することなく冷却する間接気化冷却装置１と、
吸湿流路２１と放湿流路２２と、吸湿流路２１と放湿流路２２との間に跨って回転するデシカントロータ２０と、放湿流路２２に設けられる再生手段２３と、を有し、吸湿流路２１を流れる気体に対し吸湿を行うとともに、放湿流路２２においてデシカントロータ２０の再生を行うデシカント調湿装置２と、
互いに熱交換が可能な第一熱交換流路３１と第二熱交換流路３２とを有する熱交換器３と、
を備えた冷房装置であって、
乾流路１１の入口にダンパー（第一のダンパー６１）を有する流路５１の下流端を接続して流路５１の上流端を室外に連通させ、乾流路１１の出口と吸湿流路２１の入口との間に流路５２を接続し、吸湿流路２１の出口と第一熱交換流路３１の入口との間に流路５３を接続し、第一熱交換流路３１の出口に上流端を接続し下流端に吐出口を有する吐出流路５４を備えて、室外から乾流路１１と吸湿流路２１と第一熱交換流路３１と吐出流路５４とを経由して前記吐出口に至る第一流路４１を構成し、
湿流路１２の入口を室内に連通させ、湿流路１２の出口と第二熱交換流路３２の入口との間に流路５６を接続し、第二熱交換流路３２の出口を室外に連通させて、室内から湿流路１２と第二熱交換流路３２とを経由して室外に至る第二流路４２を構成し、
放湿流路２２の入口と前記ダンパー（第一のダンパー６１）との間に分岐流路５８を接続し、放湿流路２２の出口を室外に連通させて、前記ダンパー（第一のダンパー６１）から放湿流路２２を経由して室外に至る第三流路４３を構成し、
排出手段１４に、排出流路１５を介して、排出手段１４より排出される液体を冷媒として該冷媒により冷輻射を行う冷房端末７を接続することを特徴とする。
【００１０】
また、第一流路４１を通流して前記吐出口から気体を冷房端末７の表面に向けて吐出する結露解消手段を備えることが好ましい。
【００１１】
また、前記ダンパーを第一のダンパー６１とし、乾流路１１の出口と吸湿流路２１の入口との間に接続される流路５２に第二のダンパー６２を設け、第二のダンパー６２に上流端を接続し吐出流路５４に下流端を合流させてあるバイパス流路６３を備えることが好ましい。
【発明の効果】
【００１２】
本発明の冷房装置にあっては、冷房端末を接続していることにより、排出手段より排出される冷却された液体を冷媒として利用して、冷房を行うことができる。これにより、間接気化冷却装置から排出される液体の冷熱が無駄になるのを抑えることができる。
【００１３】
また、結露解消手段を備えることにより、冷房端末の表面に発生する結露を解消することができる。
【００１４】
また、バイパス流路を備えることにより、吐出口から吐出する供給空気の湿度が上昇しても、供給空気の温度をより一層低下させることができる。
【図面の簡単な説明】
【００１５】
【図１】本発明の第一の実施形態の構成図である。
【図２】本発明の第二の実施形態の構成図である。
【発明を実施するための形態】
【００１６】
以下、本発明の冷房装置の第一の実施形態について、図１に基いて説明する。まず、間接気化冷却装置とデシカント調湿装置について説明する。
【００１７】
間接気化冷却装置は、乾流路と湿流路の二つの流路を備え、この流路間で熱交換を行うものである。乾流路と湿流路の間には、熱伝導性部材が介在しており、この熱伝導性部材により、各流路を流れる気体間で熱交換が行われる。湿流路には、液体供給手段および液体保持手段が設けられ、液体供給手段により液体が供給され、供給された液体は液体保持手段により保持される。液体保持手段において、液体は、湿流路を流れる気体と直接接触可能に保持される。
【００１８】
この間接気化冷却装置は、乾流路に冷却対象となる気体を通流させ、湿流路には、相対湿度が１００％未満の気体を通流させるのであるが、この気体の相対湿度は低い程好ましいものである。そして、液体保持手段により供給された液体が液体保持手段に保持された状態で、乾流路と湿流路とに気体が流れると、湿流路において、液体保持手段に保持されている液体が湿流路を流れる気体により気化されていく。この時、液体保持手段に保持されている液体が蒸発する際に気化熱として周囲から熱を奪うことにより、乾流路を流れる気体が冷却される。これにより、乾流路を流れる気体は、加湿されることなく冷却されるものである。
【００１９】
間接気化冷却装置としては、特許文献１に記載されたものが利用可能であるが、特にこれに限定されない。間接気化冷却装置の一具体例について概略説明する。本例では、乾流路と湿流路とを、セルロース系紙に、通気性を有さず熱伝導性を有する合成樹脂製フィルムを貼り合わせた仕切りにて、セルロース系紙が湿流路側に面するようにして仕切る。セルロース系紙が液体保持手段として機能し、合成樹脂製フィルムが熱伝導性部材として機能する。この場合、液体が蒸発する際に乾流路を流れる気体が奪われる熱は、主に、湿流路の乾流路側の壁面に保持されていた液体が、気化熱として、乾流路から直接的に奪う熱であるが、液体が蒸発する際に湿流路を通流する気体から奪う熱もある。
【００２０】
液体供給手段は、チューブと、ポンプと、ポンプを駆動するモータ等の駆動手段と、駆動手段を制御するマイクロコンピュータ等からなる制御部と、タンク等の液体貯留部と、を備える。チューブの一端は液体貯留部に接続され、チューブの他端は湿流路のセルロース系紙付近に配置される。
【００２１】
この乾流路と湿流路は交互に積層され、各乾流路の入口および出口、各湿流路の入口および出口はそれぞれ一つの入口および出口に集約される。
【００２２】
乾流路と湿流路には、それぞれ送風手段が設けられる。送風手段は、ファンと、ファンを駆動するモータ等の駆動手段と、駆動手段を制御するマイクロコンピュータ等からなる制御部と、を備える。
【００２３】
乾流路と湿流路とを流れる気体の流量と、湿流路に供給される液体の流量を制御部により制御することで、乾流路を流れて得られる冷却空気の量、温度がある程度調節可能となっている。
【００２４】
また、湿流路を流れる気体中の蒸気が結露して液体となった場合に、この液体を排出する排出手段を備えている。この排出手段としては、湿流路と外部とを連通する流路となる管等を備え、途中に逆止弁やポンプを有するものが用いられるが、特に限定されない。
【００２５】
なお、上記のような間接気化冷却装置は一例であってこれに限定されない。また、液体としては水が好適に用いられるが、他の液体が用いられてもよく、この場合には揮発性の高い液体が好ましい。また、乾流路と湿流路とを流れる気体は空気が好適に用いられるが、特に限定されない。
【００２６】
デシカント調湿装置は、放湿流路と吸湿流路とからなる二つの流路と、この流路間に跨って回転するデシカントロータと、デシカントロータを駆動するモータ等の駆動手段と、駆動手段を制御するマイクロコンピュータ等からなる制御部と、を備え、吸湿流路を流れる気体に対し吸湿を行うとともに、放湿流路を流れる気体に対し放湿を行うものである。デシカントロータは、通常は円盤状をしたもので、その中心軸（回転軸）方向に通気性を有する。なお、デシカントロータは円盤状に限定されない。そして、デシカントロータの表面に吸湿材（デシカント）が担持されている。また、放湿流路には、デシカントロータの上流側に、デシカントロータを再生するための加熱手段からなる再生手段を備えている。加熱手段（再生手段）としては、例えば気−液熱交換器と、熱媒と、循環路と、ポンプと、ポンプを駆動するモータ等の駆動手段と、熱媒を加熱するガスバーナ等の加熱部と、を備えた温水コイルが好適に用いられるが、特に限定されず、電熱ヒータ等であってもよい。
【００２７】
二つの流路には、それぞれ送風手段が設けられる。送風手段は、ファンと、ファンを駆動するモータ等の駆動手段と、駆動手段を制御するマイクロコンピュータ等からなる制御部と、を備えている。
【００２８】
このデシカント調湿装置は、除湿対象となる気体を吸湿流路に通流させ、除湿対象となる気体がデシカントロータを通過すると、吸湿材に液体の蒸気が吸収され、除湿された気体となって流出する。放湿流路においては、再生手段（加熱手段）によりデシカントロータが加熱され、気体がデシカントロータを通過する際、デシカントロータが吸湿材が吸収していた液体を気体中に蒸気として放出し、吸湿材が再生される。
【００２９】
吸湿流路と放湿流路とを流れる気体の流量と、加熱手段による加熱量と、場合によってはデシカントロータの回転速度を制御部により制御することで、吸湿流路から流出する除湿気体の量、湿度が調節可能である。
【００３０】
なお、上記のようなデシカント調湿装置は一例であって、これに限定されない。
【００３１】
更に、本発明の冷房装置は、熱交換器（顕熱交換器）を備える。熱交換器は、互いに熱交換が可能な第一熱交換流路と第二熱交換流路とを備える。そして、熱交換器は、二つの流路間に跨って回転する顕熱交換ロータと、顕熱交換ロータを駆動するモータ等の駆動手段と、駆動手段を制御するマイクロコンピュータ等からなる制御部と、を備えていてもよい。また、熱交換器は、顕熱交換ロータを備える代わりに、間に熱伝導性部材を介在させて二つの流路を仕切る一般的な熱交換器でもよい。
【００３２】
また更に、本発明の冷房装置は、冷媒による冷輻射を行う冷房端末７を備える。
【００３３】
以下、本発明の冷房装置の第一の実施形態について図１に基づいて説明する。
【００３４】
間接気化冷却装置１の乾流路１１および湿流路１２、デシカント調湿装置２の吸湿流路２１および放湿流路２２、熱交換器３の第一熱交換流路３１および第二熱交換流路３２、分岐流路５８は、送風手段による送風方向が定まっており、入口および出口が固定されている。湿流路１２には、流路の途中に液体供給手段１３および液体保持手段（不図示）、排出手段１４が設けられている。放湿流路２２には、再生手段２３が設けられている。符号２０はデシカントロータである。
【００３５】
排出手段１４には、排出流路１５の上流端が接続され、排出流路１５の下流端には冷房端末７が接続される。冷房端末７は、第一の実施形態では冷輻射パネルであるが、パネルでなくてもよい。
【００３６】
第一の実施形態では、再生手段２３として気−液熱交換器が用いられ、熱媒と、循環路と、ポンプと、ポンプを駆動するモータ等の駆動手段と、熱媒を加熱するガスバーナ等を備えた熱源と、を備える。熱源および熱媒は、他の温水暖房システム等の熱源および熱媒が好適に用いられ、熱源にて所定の温度（例えば８０℃）となった熱媒が利用可能である。この場合、再生手段２３の気−液熱交換器を介して供給する熱量を制御するには、気−液熱交換器を流れる熱媒を流す時間の割合、すなわち、全体の時間に対する熱媒を通流させる時間の比（＝デューティ比）を変化させるデューティ制御を行ってもよい。この場合、熱媒要求レベルはデューティ比が異なる複数段階が用意されている。
【００３７】
また、マイクロコンピュータからなり、間接気化冷却装置１とデシカント調湿装置２とを制御するとともに、別の温水暖房システムに対し熱媒の供給を指令する、この冷房装置全体の制御部を備えている。そして、冷房装置の運転の開始／停止、冷房レベル（例えば強、中、弱等による目標温度）の設定や直接目標温度の設定を行い、制御部に無線または有線により指令を送信する操作部７０が設けられている。  
【００３８】
乾流路１１の入口には、上流端が室外に連通する開放端となる流路５１の下流端が接続され、流路５１を介して乾流路１１の入口が室外に連通している。流路５１は、第一のダンパー６１を備えている。
【００３９】
乾流路１１の出口と吸湿流路２１の入口との間に、流路５２が接続される。吸湿流路２１の出口と第一熱交換流路３１の入口との間に、流路５３が接続される。第一熱交換流路３１の出口には、吐出流路５４の上流端が接続され、吐出流路５４の下流端は吐出口となっている。
【００４０】
これにより、室外から乾流路１１と吸湿流路２１と第一熱交換流路３１と吐出流路５４とを経由して吐出口に至る第一流路４１が構成される。
【００４１】
湿流路１２の入口には、先端が室内に連通する開放端となる流路５５が接続され、流路５５を介して湿流路１２の入口が室内に連通している。
【００４２】
湿流路１２の出口と第二熱交換流路３２の入口との間に流路５６が接続される。第二熱交換流路３２の出口には、先端が室外に連通する開放端となる流路５７が接続され、流路５７を介して第二熱交換流路３２の出口が室外に連通している。
【００４３】
これにより、室内から湿流路１２と第二熱交換流路３２とを経由して室外に至る第二流路４２が構成される。
【００４４】
放湿流路２２の入口には、分岐流路５８の下流端が接続され、分岐流路５８の上流端は第一のダンパー６１に接続される。
【００４５】
放湿流路２２の出口には、先端が室外に連通する開放端となる流路５９が接続され、流路５９を介して放湿流路２２の出口が室外に連通している。
【００４６】
これにより、第一のダンパー６１から放湿流路２２を経由して室外に至る第三流路４３が構成される。
【００４７】
また、第一流路４１と、第二流路４２とには、送風手段（不図示）が設けられる。
【００４８】
なお、下流端が室外に連通する流路５７および流路５９は、途中で合流されてもよい。
【００４９】
第一のダンパー６１により、流路５１の上流端より取り込まれた外気ＯＡは、乾流路１１と分岐流路５８とに分流される。このとき、第一のダンパー６１の各流路に対する開度を調節することで、外気ＯＡの乾流路１１と分岐流路５８とに流入する比率を調節することができる。
【００５０】
第一の実施形態における冷房運転について説明する。冷房運転を開始すると、制御部は、設定されている冷房レベルに応じた目標温度が設定される。
【００５１】
間接気化冷却装置１の動作を開始し、液体供給手段１３および排出手段１４を動作させる。デシカント調湿装置２の動作を開始し、デシカントロータ２０を動作させ、再生手段２３を動作させる。また、各送風手段の動作を開始する。
【００５２】
第一流路４１においては、室外から流路５１を介して外気ＯＡが取り入れられ、乾流路１１を通流する際に、冷却され、流路５２を介して吸湿流路２１に流入する。吸湿流路２１に流入した空気は、吸湿流路２１を通流する際に、デシカントロータ２０により除湿されるとともに、潜熱の放出により温度が上昇し、流路５３を介して第一熱交換流路３１に流入する。第一熱交換流路３１に流入した空気は、第一熱交換流路３１を通流する際に、第二熱交換流路３２を通流する流体と熱交換を行って再度冷却され、吐出流路５４を介して吐出口より供給空気ＳＡとして吐出される。吐出口は、室内に設けられて、供給空気ＳＡが室内の冷房を行ってもよいし、他の部分に設けられてもよい。第一の実施形態では、吐出口から吐出される供給空気ＳＡの少なくとも一部は、冷房端末７の表面に向けて吐出される。これにより、冷房端末７の表面に発生している結露（水滴）に、除湿された供給空気ＳＡを吐出口より吐出することで、結露を解消することが可能となる。すなわち、第一の実施形態では、結露解消手段が構成されている。
【００５３】
第二流路４２においては、室内から流路５５を介して空気ＲＡが取り入れられ、湿流路１２を通流する際に、液体供給手段１３から供給された液体の気化により湿度（当該液体の蒸気量）が上昇し、流路５６を介して第二熱交換流路３２に流入する。第二熱交換流路３２に流入した空気は、第二熱交換流路３２を通流する際に、第一熱交換流路３１を通流する流体と熱交換を行って熱を奪い、流路５７を介して排気ＥＡとして室外に排出される。
【００５４】
第三流路４３においては、第一のダンパー６１より分岐流路５８に分岐された外気ＯＡが通流し、放湿流路２２を通流する際に、再生手段２３により外気ＯＡの温度が上昇し、デシカントロータ２０の再生を行う。その後、流路５９を介して排気ＥＡとして室外に排出される。
【００５５】
また、排出手段１４より、湿流路１２にて生じた排水が、排出流路１５を介して冷房端末７に流入し、冷房端末７による冷房が行われる。
【００５６】
第一の実施形態においては、主に夏期に、換気するとともに、第一流路４１において取り入れる外気ＯＡを冷却して、供給空気ＳＡとして室内に供給される。この時、外気ＯＡが乾流路１１を流れる際に冷却されることで、高い冷房能力が得られるものである。また、デシカントロータ２０により除湿されることで、除湿能力が得られるものである。そして、デシカントロータ２０での除湿の際に温度が上昇するが、熱交換器３で再度冷却が行われ、温度上昇を低減することができる。
【００５７】
また、第二流路４２においては、空気がデシカントロータ２０を通流しないため、デシカントロータ２０により空気が加熱されず、また、空気が湿流路１２を通流する際、実際には空気が冷却されて温度が低下することが多い。このように、第二流路４２においては、取り入れられる温度の低い室内の空気ＲＡが、デシカントロータ２０による加熱がない上、湿流路１２にて温度が低下してから第二熱交換流路３２に流入するため、熱交換器３で供給空気ＳＡを冷却する能力が高いものである。
【００５８】
また、第二流路４２においては、空気の湿度が湿流路１２にて上昇し、その後、熱交換器３で冷熱を与えて温度が上昇して、排気ＥＡとして排出している。このとき、湿度が上昇した空気が第二熱交換流路３２に流入するが、第一熱交換流路３１を通流する空気に加熱されて、第二熱交換流路３２を通流する空気は温度が上昇するものであるため、結露は生じない。
【００５９】
また、第三流路４３におけるデシカントロータ２０の再生には、外気ＯＡを用いており、室内の空気ＲＡを用いる場合と比較すると、外気ＯＡは室内の空気ＲＡよりも温度が高いため、同じ再生能力を得るのに再生手段２３で要する熱量が小さくて済む。
【００６０】
また、湿流路１２にて生じた排水が、排出手段１４より排出流路１５を介して冷房端末７に流入するが、この排水は殆どの場合、冷水である。すなわち、湿流路１２において、液体供給手段１３より供給された液体が全て気体となれば、結露を生じることがなく、排出手段１４は不要である。しかしながら、このような場合には、液体供給手段１３より供給された液体の量が少なく、間接気化冷却装置１としての冷房能力が最大限に生かされていない可能性が高い。このため、通常は、液体供給手段１３により多めに液体が供給され、余剰の液体が排出手段１４により排出されている。そして、この排出される余剰の液体は湿流路１２において冷却されており、そのまま捨てられると、液体の冷熱が無駄になるところ、本発明においては冷房端末７において冷媒として有効利用することで、冷熱が無駄になるのを抑えることができる。
【００６１】
また、液体供給手段１３が供給する液体の流量を調節したり、湿流路１２を流れる空気の流量を調節することで、冷却能力を変化させてもよい。
【００６２】
また、デシカントロータ２０の再生において、放湿流路２２を流れる空気の流量を調節したり、再生手段２３での熱量を調節することで、再生能力（放湿量）を変化させてもよい。これにあたっては、上述したように、第一のダンパー６１により、取り込んだ外気ＯＡを乾流路１１と分岐流路５８とに分流する比率を調節することで、行うことができる。そして、デシカントロータ２０の再生における放湿量を調節することで、吸湿流路２１を通流する空気における吸湿量を調節することができ、結果、吐出口より吐出する供給空気ＳＡの湿度を変化させることが可能となる。そこで、これを利用して、第一の実施形態においては、結露解消モードによる運転が可能であり、以下に説明する。
【００６３】
結露解消モードは、冷房端末７の表面に発生した結露の解消を促進するもので、使用者が操作部７０を操作することで、結露解消モードへ移行させる。
【００６４】
結露解消モードが開始すると、第一のダンパー６１の各流路に対する開度を変化させて、分岐流路５８に流入する比率を大きくして、分岐流路５８に流入する空気量を増加させる。この時、送風手段の出力を増大させて、乾流路１１に流入する空気量が減少しないようにしてもよい。これにより、供給空気ＳＡの湿度がより一層低下する。
【００６５】
そして、冷房端末７の表面に発生した結露が解消した等により、使用者が操作部７０を操作することで、結露解消モードを終了する。
【００６６】
次に、第二の実施形態について図２に基いて説明する。なお、第一の実施形態と同じ構成については、同符号を付して説明を省略し、主に異なる部分について説明する。
【００６７】
第二の実施形態においては、第一の実施形態の構成に加えて、バイパス流路６３を備えている。
【００６８】
流路５２の途中に、第二のダンパー６２が設けられる。バイパス流路６３は、上流端が第二のダンパー６２に接続され、下流端が吐出流路５４に合流するように接続される。
【００６９】
第一流路４１を通流してきた空気は、第二のダンパー６２により、デシカント調湿装置２の吸湿流路２１を通流するか、あるいは吸湿流路２１とバイパス流路６３の両方に通流されるかが切り替え可能である。また、第二のダンパー６２の開度により、吸湿流路２１とバイパス流路６３とに通流させる空気の比率を変化させることが可能である。
【００７０】
バイパス流路６３は、第一流路４１において、デシカント調湿装置２と熱交換器３とをバイパスするものである。
【００７１】
第一流路４１においては、第一の実施形態で説明したように、吸湿流路２１を通流する際、デシカントロータ２０により除湿されて温度が上昇し、その後、熱交換器３で再度冷却が行われるものの、デシカント調湿装置２を通流する前と比較すると、温度が上昇してしまうものであった。
【００７２】
そこで、第一流路４１を通流する空気の一部をバイパス流路６３に通流させることで、温度の低い空気を供給空気ＳＡとして供給することが可能となる。ただし、バイパス流路６３を通流して吐出される空気の湿度は、デシカント調湿装置２と熱交換器３を通流する空気の湿度より高い。そこで、第二のダンパー６２の開度を調節することにより、バイパス流路６３を通流する空気と、デシカント調湿装置２と熱交換器３を通流する空気の比率を調節し、供給空気ＳＡの温度と湿度とを調節することが可能となる。
【００７３】
そこで、これを利用して、第二の実施形態においては、結露解消モードによる運転に加えて、冷房強化モードによる運転が可能であり、以下に説明する。
【００７４】
冷房強化モードは、供給空気ＳＡの温度を更に低下させるもので、使用者が操作部７０を操作することで、冷房強化モードへ移行させる。
【００７５】
冷房強化モードが開始すると、第二のダンパー６２の各流路に対する開度を変化させて、バイパス流路６３流入する比率を大きくして、バイパス流路６３に流入する空気量を増加させる。そして、デシカント調湿装置２と熱交換器３を通流する空気と、バイパス流路６３を通流し、デシカント調湿装置２と熱交換器３を通流した空気も低温でかつ高湿の空気とが混合された供給空気ＳＡが、吐出口より吐出される。
【００７６】
そして、使用者が操作部７０を操作することで、冷房強化モードを終了する。
【００７７】
冷房強化モードは、室内の湿度が上昇しても、室内の温度をより一層低下させたいときに有効である。
【００７８】
なお、第二のダンパー６２により、吸湿流路２１に通流させずバイパス流路６３のみに通流させることは通常は想定されていない。しかしながら、外気ＯＡの湿度が低い場合には、バイパス流路６３のみに通流させて、冷房能力を最大限生かしてもよい。
【符号の説明】
【００７９】
１    間接気化冷却装置
１１  乾流路
１２  湿流路
１３  液体供給手段
１４  排出手段
１５  排出流路
２    デシカント調湿装置
２０  デシカントロータ
２１  吸湿流路
２２  放湿流路
３    熱交換器
３１  第一熱交換流路
３２  第二熱交換流路
４１  第一流路
４２  第二流路
４３  第三流路
５１〜５３  流路
５４  吐出流路
５５〜５７  流路
５８  分岐流路
５９  流路
６１  第一のダンパー
６２  第二のダンパー
６３  バイパス流路
７    冷房端末
７０  操作部
【図１】
2015190634.tif 000003
【図２】
2015190634.tif 000004